(57)【要約】【課題】移動端末を呼び出すためのページング信号の周期を簡易に設定する通信装置、通信システムおよび送信方法を提供する。【解決手段】移動端末を呼び出すためのページング信号の周期を管理する管理装置と接続し、予め登録された登録移動端末と通信を行う登録通信機能を有する通信装置は、管理装置から、登録通信機能を示す所定機能情報と、所定周期を示す所定周期情報と、を受信する受信部と、受信部にて所定機能情報と所定周期情報とが受信されると、所定機能情報にて示される登録通信機能を実行し、所定周期情報にて示される所定周期でページング信号を移動端末に送信する送信手段と、を含む。【選択図】図１
2011244131.tif 000002
【特許請求の範囲】
【請求項１】
移動端末を呼び出すためのページング信号の周期を管理する管理装置と接続し、予め登録された登録移動端末と通信を行う登録通信機能を有する通信装置であって、
前記管理装置から、前記登録通信機能を示す所定機能情報と、所定周期を示す所定周期情報と、を受信する受信手段と、
前記受信手段にて前記所定機能情報と前記所定周期情報とが受信されると、当該所定機能情報にて示される登録通信機能を実行し、当該所定周期情報にて示される所定周期で前記ページング信号を前記移動端末に送信する送信手段と、を含む通信装置。
【請求項２】
請求項１に記載の通信装置において、
前記通信装置は、前記登録通信機能以外の特定機能を有し、
前記受信手段は、前記管理装置から、さらに、前記特定機能を示す特定機能情報と、前記所定周期よりも短い特定周期を示す特定周期情報と、を受信し、
前記送信手段は、前記受信手段にて前記特定機能情報と前記特定周期情報とが受信されると、当該特定機能情報にて示される特定機能を実行し、当該特定周期情報にて示される特定周期で前記ページング信号を前記移動端末に送信する、通信装置。
【請求項３】
請求項２に記載の通信装置において、
前記特定周期情報は、前記所定周期よりも短い第１特定周期を示す第１特定周期情報と、前記第１特定周期よりも短い第２特定周期を示す第２特定周期情報と、を含み、
前記受信手段は、前記管理装置から、さらに、所定の収容端末数を示す収容情報と、所定閾値を示す閾値情報と、を受信し、
前記送信手段は、前記受信手段にて前記特定機能情報と前記第１特定周期情報と前記第２特定周期情報と前記収容情報と前記閾値情報とが受信されると、当該特定機能情報にて示される特定機能を実行し、当該収容情報にて示される所定の収容端末数が当該閾値情報にて示される所定閾値以下である場合には当該第１特定周期情報にて示される第１特定周期で前記ページング信号を前記移動端末に送信し、前記所定の収容端末数が前記所定閾値を超える場合には当該第２特定周期情報にて示される第２特定周期で前記ページング信号を前記移動端末に送信する、通信装置。
【請求項４】
移動端末を呼び出すためのページング信号の周期を管理装置と、予め登録された登録移動端末と通信を行う登録通信機能を有する通信装置と、を含む通信システムであって、
前記管理装置は、前記登録通信機能を示す所定機能情報と、所定周期を示す所定周期情報と、を前記通信装置に送信し、
前記通信装置は、
前記管理装置から、前記所定機能情報と前記所定周期情報とを受信する受信手段と、
前記受信手段にて前記所定機能情報と前記所定周期情報とが受信されると、当該所定機能情報にて示される登録通信機能を実行し、当該所定周期情報にて示される所定周期で前記ページング信号を前記移動端末に送信する送信手段と、を含む、通信システム。
【請求項５】
請求項４に記載の通信システムにおいて、
前記通信装置は、前記登録通信機能以外の特定機能を有し、
前記管理装置は、前記特定機能を示す特定機能情報と、前記所定周期よりも短い特定周期を示す特定周期情報と、を前記通信装置に送信し、
前記受信手段は、前記管理装置から、さらに、前記特定機能情報と前記特定周期情報とを受信し、
前記送信手段は、前記受信手段にて前記特定機能情報と前記特定周期情報とが受信されると、当該特定機能情報にて示される特定機能を実行し、当該特定周期情報にて示される特定周期で前記ページング信号を前記移動端末に送信する、通信システム。
【請求項６】
移動端末を呼び出すためのページング信号の周期を管理する管理装置と接続し、予め登録された登録移動端末と通信を行う登録通信機能を有する通信装置における送信方法であって、
前記管理装置から、前記登録通信機能を示す所定機能情報と、所定周期を示す所定周期情報と、を受信する受信ステップと、
前記受信ステップにて前記所定機能情報と前記所定周期情報とが受信されると、当該所定機能情報にて示される登録通信機能を実行し、当該所定周期情報にて示される所定周期で前記ページング信号を前記移動端末に送信する送信手段と、を含む送信方法。
【請求項７】
請求項６に記載の送信方法において、
前記通信装置は、前記登録通信機能以外の特定機能を有し、
前記受信ステップでは、前記管理装置から、さらに、前記特定機能を示す特定機能情報と、前記所定周期よりも短い特定周期を示す特定周期情報と、を受信し、
前記送信ステップでは、前記受信ステップにて前記特定機能情報と前記特定周期情報とが受信されると、当該特定機能情報にて示される特定機能を実行し、当該特定周期情報にて示される特定周期で前記ページング信号を前記移動端末に送信する、送信方法。
【請求項８】
移動端末を呼び出すためのページング信号の周期を管理装置と、予め登録された登録移動端末と通信を行う登録通信機能を有する通信装置と、を含む通信システムにおける送信方法であって、
前記管理装置が、前記登録通信機能を示す所定機能情報と、所定周期を示す所定周期情報と、を前記通信装置に送信する第１送信ステップと、
前記通信装置が、前記管理装置から、前記所定機能情報と前記所定周期情報とを受信する受信ステップと、
前記通信装置が、前記受信ステップにて前記所定機能情報と前記所定周期情報とが受信されると、当該所定機能情報にて示される登録通信機能を実行し、当該所定周期情報にて示される所定周期で前記ページング信号を前記移動端末に送信する第２送信ステップと、を含む、送信方法。
【請求項９】
請求項８に記載の送信方法において、
前記通信装置は、前記登録通信機能以外の特定機能を有し、
前記第１送信ステップでは、前記管理装置が、さらに、前記特定機能を示す特定機能情報と、前記所定周期よりも短い特定周期を示す特定周期情報と、を前記通信装置に送信し、
前記受信ステップでは、前記管理装置から、さらに、前記特定機能情報と前記特定周期情報とを受信し、
前記第２送信ステップでは、前記受信ステップにて前記特定機能情報と前記特定周期情報とが受信されると、当該特定機能情報にて示される特定機能を実行し、当該特定周期情報にて示される特定周期で前記ページング信号を前記移動端末に送信する、送信方法。
【発明の詳細な説明】
【技術分野】
【０００１】
本発明は、通信装置、通信システムおよび送信方法に関する。
【背景技術】
【０００２】
特許文献１には、移動局に着信を通知するページング信号の周期を設定する移動通信システムが記載されている。特許文献１に記載の移動通信システムは、移動局と、移動局の通信を管理するコアネットワークと、を備えている。
【０００３】
特許文献１に記載の移動通信システムでは、コアネットワークが、移動局に対する着信回数をカウントし、着信回数が閾値よりも低い場合には、ページング送信周期を、着信回数が閾値以上のときよりも長くする。
【先行技術文献】
【特許文献】
【０００４】
【特許文献１】特開２００４−２４７８０１号公報（図１）
【発明の概要】
【発明が解決しようとする課題】
【０００５】
特許文献１に記載の移動通信システムでは、コアネットワークが、移動局に対する着信回数に基づいてページング送信周期を変更する。このため、移動通信システムは、移動局に対する着信回数をカウントするという複雑な処理を行う必要があるという課題があった。
【０００６】
本発明の目的は、上記した課題を解決する通信装置、通信システムおよび送信方法を提供することにある。
【課題を解決するための手段】
【０００７】
本発明の通信装置は、移動端末を呼び出すためのページング信号の周期を管理する管理装置と接続し、予め登録された登録移動端末と通信を行う登録通信機能を有する通信装置であって、前記管理装置から、前記登録通信機能を示す所定機能情報と、所定周期を示す所定周期情報と、を受信する受信手段と、前記受信手段にて前記所定機能情報と前記所定周期情報とが受信されると、当該所定機能情報にて示される登録通信機能を実行し、当該所定周期情報にて示される所定周期で前記ページング信号を前記移動端末に送信する送信手段と、を含む。
【０００８】
本発明の通信システムは、移動端末を呼び出すためのページング信号の周期を管理装置と、予め登録された登録移動端末と通信を行う登録通信機能を有する通信装置と、を含む通信システムであって、前記管理装置は、前記登録通信機能を示す所定機能情報と、所定周期を示す所定周期情報と、を前記通信装置に送信し、前記通信装置は、前記所定機能情報と前記所定周期情報とを受信する受信手段と、前記受信手段にて前記所定機能情報と前記所定周期情報とが受信されると、当該所定機能情報にて示される登録通信機能を実行し、当該所定周期情報にて示される所定周期で前記ページング信号を前記移動端末に送信する送信手段と、を含む。
【０００９】
本発明の送信方法は、移動端末を呼び出すためのページング信号の周期を管理する管理装置と接続し、予め登録された登録移動端末と通信を行う登録通信機能を有する通信装置における送信方法であって、前記管理装置から、前記登録通信機能を示す所定機能情報と、所定周期を示す所定周期情報と、を受信する受信ステップと、前記受信ステップにて前記所定機能情報と前記所定周期情報とが受信されると、当該所定機能情報にて示される登録通信機能を実行し、当該所定周期情報にて示される所定周期で前記ページング信号を前記移動端末に送信する送信手段と、を含む。
【００１０】
本発明の送信方法は、移動端末を呼び出すためのページング信号の周期を管理装置と、予め登録された登録移動端末と通信を行う登録通信機能を有する通信装置と、を含む通信システムにおける送信方法であって、前記管理装置が、前記登録通信機能を示す所定機能情報と、所定周期を示す所定周期情報と、を前記通信装置に送信する第１送信ステップと、前記通信装置が、前記所定機能情報と前記所定周期情報とを受信する受信ステップと、前記通信装置は、前記受信ステップにて前記所定機能情報と前記所定周期情報とが受信されると、当該所定機能情報にて示される登録通信機能を実行し、当該所定周期情報にて示される所定周期で前記ページング信号を前記移動端末に送信する第２送信ステップと、を含む。
【発明の効果】
【００１１】
本発明によれば、移動端末を呼び出すためのページング信号の周期を簡易に設定することが可能になる。
【図面の簡単な説明】
【００１２】
【図１】本発明の一実施形態における通信システムを示すブロック図である。
【図２】フェムト基地局２００におけるページング信号の送信方法の処理手順例を示すフローチャートである。
【発明を実施するための形態】
【００１３】
以下、本発明の一実施形態について図面を参照して説明する。
【００１４】
図１は、本発明の実施形態における通信システムを示すブロック図である。
【００１５】
通信システム１０は、管理装置１００と、フェムト基地局２００と、移動端末３００と、を備える。フェムト基地局２００は、受信部２１０と、送信部２２０と、を備える。また、送信部２２０は、制御部２２１と、周期設定部２２２と、報知情報送信部２２３と、を備える。
【００１６】
フェムト基地局２００は、予め登録された移動端末（以下「登録移動端末」と称する）と通信を行う登録通信機能と、登録通信機能以外の特定機能と、を有し、登録通信機能と特定機能とのいずれかを実行する。登録通信機能は、例えば、クローズドモード（Ｃｌｏｓｅｄ  Ｍｏｄｅ）と称される。特定機能としては、例えば、フェムト基地局２００と通信可能な範囲内に位置する不特定の通信端末と通信を行う通信機能がある。このような通信機能は、例えば、オープンモードと称される。
【００１７】
移動端末３００は、登録移動端末であり、本実施形態では、フェムト基地局２００と通信可能な範囲内に位置する。なお、管理装置１００とフェムト基地局２００との間は、例えば、ＰＳＴＮ（Public Switched Telephone Networks）またはインターネット網などの公衆網により接続される。
【００１８】
管理装置１００は、フェムト基地局２００が移動端末３００を呼び出すための信号（以下「ページング信号」と称する。）を送信する周期を管理する。本実施形態では、管理装置１００は、設定情報保持部１１０と管理サーバ１２０とを備える。
【００１９】
設定情報保持部１１０には、フェムト基地局２００のページング信号の周期を設定するために用いられる設定情報（Ｃｏｎｆｉｇｕｒａｔｉｏｎ  Ｄａｔａ）が記憶されている。
【００２０】
設定情報には、フェムト基地局２００の通信機能を特定するためのアクセスタイプと、収容情報と、閾値情報と、所定周期情報と、特定周期情報と、が含まれている。なお、アクセスタイプと所定周期情報については、フェムト基地局２００の購入者によって予め選択され、設定情報保持部１１０に予め記憶される。また、収容情報と特定周期情報については、フェムト基地局２００の運用者によって予め規定され、設定情報保持部１１０に予め記憶される。
【００２１】
アクセスタイプ（以下「機能情報」と称する。）には、フェムト基地局２００が実行可能な通信機能として、登録通信機能または特定機能が示されている。フェムト基地局２００が実行可能な通信機能は、フェムト基地局２００の購入者によって予め選択される。本実施形態では、登録通信機能を示す機能情報が所定機能情報と称され、特定機能を示す機能情報が特定機能情報と称される。
【００２２】
収容情報は、所定の収容端末数を示す。所定の収容端末数とは、フェムト基地局２００が特定機能を実行しているときの移動端末３００の最大収容端末数である。収容端末数は、フェムト基地局２００の運用者によって予め規定される。収容端末数は、例えば、最大使用者数と称される。
【００２３】
閾値情報は、収容端末数の多さを判定するための所定の閾値（以下「収容閾値」と称する。）を示す。
【００２４】
所定周期情報（以下「第１周期情報」と称する。）と特定周期情報とは、ページング信号の周期をそれぞれ示す。ページング信号の周期は、一般的に、通信可能な移動端末の数が多くなるほど、短く規定される。
【００２５】
第１周期情報は、フェムト基地局２００が登録通信機能を実行しているときのページング信号の所定周期（以下「第１周期」と称する。）を示す。第１周期情報は、フェムト基地局２００の購入者によって予め選択される。
【００２６】
特定周期情報は、フェムト基地局２００が特定機能を実行しているときのページング信号の特定周期を示す。特定周期は、一般的に第１周期よりも短い。特定周期情報は、第１特定周期情報（以下「第２周期情報」と称する。）と、第２特定周期情報（以下「第３周期情報」と称する。）と、を含む。
【００２７】
第２周期情報は、特定機能を実行中のフェムト基地局２００の収容端末数が収容閾値以下のときのページング信号の第１特定周期（以下「第２周期」と称する。）を示す。第２周期情報は、フェムト基地局２００の運用者によって予め規定される。第２周期は、第１周期と異なる周期である。第２周期は、一般的に第１周期よりも短い。
【００２８】
第３周期情報は、特定機能を実行中のフェムト基地局２００の収容端末数が収容閾値よりも大きいときのページング信号の第２特定周期（以下「第３周期」と称する。）を示す。第３周期情報は、フェムト基地局２００の運用者によって予め規定される。第３周期は、第１および第２周期と異なる周期である。第３周期は、一般的に第２周期よりも短い。
【００２９】
管理サーバ１２０は、受信部２１０から、フェムト基地局２００についての設定情報を要求する旨の要求情報を受信する。管理サーバ１２０は、その要求情報を受信すると、設定情報保持部１１０内からフェムト基地局２００についての設定情報を取得し、その設定情報を受信部２１０に送信する。管理サーバ１２０は、例えば、コアネットワーク（ＣＮ：Core Network）装置などのマネージメントサーバ（Management Sever）により実現される。
【００３０】
フェムト基地局２００は、一般的に通信装置と呼ぶことができる。
【００３１】
フェムト基地局２００は、移動端末３００を呼び出すためのページング信号を送信する周期を変更可能な無線通信装置である。また、フェムト基地局２００は、登録通信機能および特定機能を有する。
【００３２】
また、フェムト基地局２００は、制御チャンネルとトラフィックチャンネルとを介して移動端末３００と通信を行う。制御チャンネルには、報知情報を送信するために用いられるブロードキャストチャンネル（ＢＣＨ：Broadcast CHannel）と、ページング信号を送信するために用いられるページングチャンネル（ＰＣＨ：Paging CHannel）と、が含まれる。ページングチャンネルでは、時分割多重（ＴＤＭ: Time Division Multiplex）によりページング信号が送信される。
【００３３】
受信部２１０は、一般的に受信手段と呼ぶことができる。
【００３４】
受信部２１０は、管理装置１００から、登録通信機能を示す所定機能情報と、第１周期を示す第１周期情報と、を受信する。また、受信部２１０は、管理装置１００から、登録通信機能以外の機能を示す特定機能情報と、第１周期よりも短い第２周期を示す第２周期情報と、をさらに受信する。また、受信部２１０は、管理装置１００から、所定の収容端末数を示す収容情報と、第２周期よりも短い第３周期を示す第３周期情報と、所定閾値を示す閾値情報と、をさらに受信する。
【００３５】
本実施形態では、受信部２１０は、フェムト基地局２００の購入者によって入力された起動要求を制御部２２１から受け付けると、その要求情報を管理サーバ１２０に送信する。その後、受信部２１０は、管理サーバ１２０から、フェムト基地局２００についての設定情報を受信する。また、受信部２１０は、管理サーバ１２０から送信された設定情報を受信すると、その設定情報を制御部２２１に供給する。設定情報には、フェムト基地局２００の機能情報と、収容情報と、閾値情報と、第１周期情報と、第２および第３周期情報を含む特定周期情報と、が含まれている。
【００３６】
送信部２２０は、一般的に送信手段と呼ぶことができる。
【００３７】
送信部２２０は、受信部２１０にて少なくとも所定機能情報と第１周期情報とを含む設定情報が受信されると、その所定機能情報にて示される登録通信機能を実行し、その第１周期情報にて示される第１周期でページング信号を移動端末３００に送信する。
【００３８】
また、送信部２２０は、受信部２１０にて少なくとも特定機能情報と特定周期情報とを含む設定情報が受信されると、その特定機能情報にて示される特定機能を実行し、その特定周期情報にて示される特定周期でページング信号を移動端末３００に送信する。
【００３９】
また、送信部２２０は、受信部２１０にて少なくとも特定機能情報と第２周期情報と第３周期情報と収容情報と閾値情報とを含む設定情報が受信されると、その特定機能情報にて示される特定機能を実行し、その収容情報にて示される所定の収容端末数がその閾値情報にて示される収容閾値以下である場合には、第２周期情報にて示される第２周期でページング信号を移動端末３００に送信し、所定の収容端末数が収容閾値を超える場合には、その第３周期情報にて示される第３周期でページング信号を移動端末３００に送信する。
【００４０】
制御部２２１は、フェムト基地局２００の購入者によって入力された起動要求を受け付ける。制御部２２１は、起動要求を受け付けると、フェムト基地局２００に電源電圧を供給するとともに、受信部２１０を介して管理サーバ１２０に要求情報を送信する。
【００４１】
また、制御部２２１は、受信部２１０から設定情報を受け付けると、その設定情報内の機能情報が所定機能情報である場合には、その所定機能情報にて示される登録通信機能を実行するとともに、その設定情報内の第１周期情報を、周期設定部２２２と報知情報送信部２２３とに供給する。
【００４２】
一方、制御部２２１は、設定情報内の機能情報が、特定機能情報である場合には、その特定機能情報にて示される特定機能を実行するとともに、設定情報内の収容情報と閾値情報とを参照し、フェムト基地局２００の収容端末数が、収容閾値を超えるか否かを判断する。
【００４３】
機能情報が特定機能を示す特定機能情報である場合において、制御部２２１は、設定情報内の収容情報に示される収容端末数が、収容閾値以下であるときには、第２周期情報を、周期設定部２２２と報知情報送信部２２３とに供給する。一方、制御部２２１は、収容端末数が、収容閾値を超えるときには、第３周期情報を、周期設定部２２２と報知情報送信部２２３とに供給する。
【００４４】
周期設定部２２２は、ページングチャンネルを介して移動端末３００に送信するページング信号の周期を設定する。周期設定部２２２は、制御部２２１から第１周期情報、第２周期情報または第３周期情報を受け付ける。
【００４５】
周期設定部２２２は、制御部２２１から第１周期情報を受け付けると、その第１周期情報が示す第１周期ごとにページング信号を送信する。周期設定部２２２は、制御部２２１から第２周期情報を受け付けると、その第２周期情報が示す第２周期ごとにページング信号を送信する。周期設定部２２２は、制御部２２１から第３周期情報を受け付けると、その第３周期情報が示す第３周期ごとにページング信号を送信する。
【００４６】
報知情報送信部２２３は、ブロードキャストチャンネルを介して移動端末３００に報知情報を送信する。報知情報送信部２２３は、制御部２２１から、第１周期情報、第２周期情報または第３周期情報を受け付ける。
【００４７】
報知情報送信部２２３は、制御部２２１から第１周期情報を受け付けると、ページング信号を第１周期ごとに送信する旨の第１報知情報を、移動端末３００に送信する。また、報知情報送信部２２３は、制御部２２１から第２周期情報を受け付けると、ページング信号を第２周期ごとに送信する旨の第２報知情報を、移動端末３００に送信する。さらに、報知情報送信部２２３は、制御部２２１から第３周期情報を受け付けると、ページング信号を第３周期ごとに送信する旨の第３報知情報を、移動端末３００に送信する。
【００４８】
図２は、フェムト基地局２００の送信方法の処理手順例を示すフローチャートである。
【００４９】
まず、制御部２２１は、フェムト基地局２００の購入者によって入力された起動要求を受け付けると、フェムト基地局２００を起動する（ステップＳ９０１）とともに、受信部２１０を介して管理装置１００に、設定情報を要求する旨の要求情報を送信する。
【００５０】
その後、受信部２１０が、管理装置１００から、フェムト基地局２００についての設定情報を受信し、制御部２２１が、その設定情報を読み込む（ステップＳ９０２）。制御部２２１は、設定情報を読み込むと、設定情報内の機能情報にて示される通信機能が、登録通信機能であるクローズドモードか否かを判断する（ステップＳ９０３）。そして、機能情報が、クローズドモードを示す場合には、制御部２２１が、登録通信機能を実行するとともに、周期設定部２２２が、設定情報内の第１周期情報にて示される第１周期で、ページング信号を移動端末３００に送信する（ステップＳ９０４）。
【００５１】
一方、機能情報が、クローズドモード以外の特定機能を示す場合には、制御部２２１は、その機能情報にて示された機能を実行するとともに、設定情報内の収容情報にて示される収容端末数が、収容閾値を超えるか否かを判断する（ステップＳ９０６）。そして、制御部２２１が、収容端末数が収容閾値以下であると判断する場合には、周期設定部２２２は、設定情報内の第２周期情報が示す第２周期で、ページング信号を送信する（ステップＳ９０７）。
【００５２】
一方、制御部２２１が、収容端末数が収容閾値を超えていると判断する場合には、周期設定部２２２は、設定情報内の第３周期情報にて示される第３周期で、ページング信号を送信する（ステップＳ９０８）。
【００５３】
ステップＳ９０４、Ｓ９０７またはＳ９０８の処理後に、報知情報送信部２２３は、ページング信号を送信している周期を示す報知情報を、移動端末３００に送信して（ステップＳ９０５）、送信方法の一連の処理手順を終了する。
【００５４】
本実施形態によれば、受信部２１０が、管理装置１００から、予め登録された登録移動端末と通信を行う登録通信機能を示す所定機能情報と、所定周期を示す所定周期情報と、を受信する。そして、送信部２２０が、所定機能情報にて示される登録通信機能を実行し、所定周期情報にて示される所定周期でページング信号を移動端末３００に送信する。
【００５５】
このため、フェムト基地局２００は、登録通信機能の実行中に、その登録通信機能に適した所定周期で、ページング信号を送信することができる。よって、通信システム１０は、簡易にページング信号の周期を設定することができる。
【００５６】
また、本実施形態では、フェムト基地局２００が、登録通信機能以外の特定機能を有し、受信部２１０が、管理装置１００から、さらに、特定機能を示す特定機能情報と、所定周期よりも短い特定周期を示す特定周期情報と、を受信すると、送信部２２０が、特定機能情報にて示された特定機能を実行し、特定周期情報にて示された特定周期で、ページング信号を移動端末３００に送信する。
【００５７】
このため、フェムト基地局２００は、特定機能の実行時には、所定周期よりも短い周期で、ページング信号を送信することができる。よって、フェムト基地局２００は、通信機能に応じた周期で、ページング信号を送信することができる。
【００５８】
したがって、登録通信機能を実行しているフェムト基地局２００では、購入者によって特定周期よりも短い所定周期が予め選択された場合に、特定機能の実行時よりもページング信号の周期が長くなる。このため、登録通信機能を実行しているフェムト基地局２００と通信を行う移動端末３００では、特定機能を実行しているフェムト基地局２００と比べて、消費される電力が抑制される。よって、通信システム１０は、移動端末３００に生じる無駄な電力消費を抑制することができる。
【００５９】
また、本実施形態では、特定機能情報は、所定周期よりも短い第１特定周期を示す第１特定周期情報と、第１特定周期よりも短い第２特定周期を示す第２特定周期情報と、を含む。また、受信部２１０は、管理装置１００から、さらに、所定の収容端末数を示す収容情報と所定閾値を示す閾値情報とを受信する。そして、送信部２２０は、受信部２１０にて特定機能情報と第２および第３特定周期情報と収容情報と閾値情報とが受信されると、特定機能情報が示す特定機能を実行し、収容情報の示す所定の収容端末数が、閾値情報が示す所定閾値以下である場合には、第１特定周期でページング信号を移動端末３００に送信し、収容端末数が所定閾値を超える場合には、第２特定周期でページング信号を移動端末３００に送信する。
【００６０】
このため、フェムト基地局２００は、登録通信機能以外の特定機能の実行時に、フェムト基地局２００の収容端末数が所定閾値を超えるときには、ページング信号の周期を、第１特定周期よりも短くすることができる。言い換えると、フェムト基地局２００は、特定機能の実行時において、収容端末数が所定閾値以下である場合には、第２特定周期よりも長い周期でページング信号を送信することができる。この場合には、移動端末３００の消費電力を低減することができる。
【００６１】
したがって、フェムト基地局２００は、フェムト基地局２００の収容端末数に応じた周期で、ページング信号を送信することができる。よって、通信システム１０は、フェムト基地局２００のページング信号の周期を、フェムト基地局２００の収容端末数に応じて設定することができる。
【００６２】
また、本実施形態では、フェムト基地局２００の通信機能と収容端末数とに応じてページング信号の周期を設定する例について説明したが、時間帯ごとにページング信号の周期を変更するようにしてもよい。例えば、設定情報保持部１１０には、予め定められた時間帯ごとに、予め設定された周期情報がさらに記憶され、フェムト基地局２００は、時刻を示す時計を有し、その時計が示す時刻が、予め設定された時間帯の開始時刻になると、その時間帯の周期情報を管理装置１００から取得して、その周期情報が示す周期でページング信号を送信する。
【００６３】
以上説明した実施形態において、図示した構成は単なる一例であって、本発明はその構成に限定されるものではない。
【符号の説明】
【００６４】
１０  通信システム
１００  管理装置
１１０  設定情報保持部
１２０  管理サーバ
２００  フェムト基地局
２１０  通信部
２２０  送信部
２２１  制御部
２２２  周期設定部
２２３  報知情報送信部
３００  移動端末
【図１】
2011244131.tif 000003
【図２】
2011244131.tif 000004